(57)【要約】【課題】  災害時又は災害予想時に緊急避難路を確保でき、扉構造周辺の構造物の崩壊を防止し、室内に水を導入して扉の外側と内側の水位差をほぼ無くし、脱出時に扉を人力で開くことができ、身障者等が操作するに好適な扉構造の扉開放装置を提供する。【解決手段】  扉２０の閉じ状態への保持を解除する解除装置１１０と、扉を、開方向への拘束なく開く開装置１２０と、扉の閉じ状態への保持を解除して扉を開くように解除装置及び開装置を制御する災害用開制御装置１３０とを備え、扉の開き角度が、扉の回動側端部２２と扉枠１０との間に隙間Ｃができる程度の開き角度となるように構成した扉構造の扉開放装置。【選択図】  図１
2005299382.tif 000002
【特許請求の範囲】
【請求項１】
扉枠と、この扉枠を開け閉めし、閉じたときに扉枠に嵌るようにほぼ上下に延びる軸のまわりに回動可能に設けられた扉と、扉を閉じ状態に保持する保持装置とを備えた扉構造に設けられる扉開放装置であって、
扉の閉じ状態への保持を解除する解除装置と、
扉を、開方向への拘束なく開く開装置と、
地震その他、扉構造に外力が作用する災害のとき又はこの災害が予想されるときに別に設けた開信号出力装置から出力される開信号を受けると、扉の閉じ状態への保持を解除して扉を開くように解除装置及び開装置を制御する災害用開制御装置とを備え、
扉の開き角度が、扉の回動側端部と扉枠との間に指、手又はバールその他のこじ開け用工具が差し込まれる隙間ができる程度の開き角度となるように構成した扉構造の扉開放装置。
【請求項２】
扉枠と、この扉枠を開け閉めし、閉じたときに扉枠に嵌るようにほぼ上下に延びる軸のまわりに回動可能に設けられた扉と、扉を閉じ状態に保持する保持装置とを備えた扉構造に設けられる扉開放装置であって、
扉の閉じ状態への保持を解除する解除装置と、
扉を、開方向への拘束なく開く開装置と、
水害その他、扉枠の外に水が流入する災害のとき又はこの災害が予想されるときに別に設けた開信号出力装置から出力される開信号を受けると、扉の閉じ状態への保持を解除して扉を開くように解除装置及び開装置を制御する災害用開制御装置とを備え、
扉の開き角度が、扉の回動側端部と扉枠との間に、扉の内側へ水を導入できる隙間ができる程度の開き角度となるように構成した扉構造の扉開放装置。
【請求項３】
開いた扉が閉じる方向へ外力を受けても扉が閉じないように構成した請求項１又は請求項２の扉構造の扉開放装置。
【請求項４】
開装置が、
扉枠その他、扉の周辺に設けられた本体と、
この本体に、基端がほぼ上下に延びる回動軸のまわりに回動可能に設けられ、先端で扉を押し又は引くアームと、
本体に設けられ、アームを回動させる駆動装置とを備えており、
この駆動装置が、アームの上記回動軸に設けられたギヤ又はアームの上記回動軸に連動するギヤと、このギヤの中心軸と交差し且つ上記ギヤと噛み合うウォームが設けられた出力軸を有してこれを回転駆動する回転駆動装置とを備えている請求項３の扉構造の扉開放装置。
【請求項５】
扉枠と、この扉枠を開け閉めし、閉じたときに扉枠に嵌るようにほぼ上下に延びる軸のまわりに回動可能に設けられた扉と、扉を閉じ状態に保持する保持装置とを備えた扉構造に設けられる扉開放装置であって、
扉の閉じ状態への保持を解除する解除装置と、
扉を、開方向への拘束なく開く開装置と、
操作を受けると、扉の閉じ状態への保持を解除して扉を開くように解除装置及び開装置を制御する操作時開制御装置とを備え、
扉の開き角度が、扉の回動側端部と扉枠との間に隙間ができる程度の開き角度となるように構成した扉構造の扉開放装置。
【請求項６】
請求項１ないし請求項５のうちいずれか１項の扉構造の扉開放装置において、さらに、扉を閉じる方向へ付勢する閉装置が設けられており、開装置は閉装置の閉じ力に抗して扉を開けるように構成されている扉構造の扉開放装置。
【発明の詳細な説明】
【技術分野】
【０００１】
本発明は、上下に延びる軸のまわりに回動可能に設けられた扉で扉枠を開け閉めするようにした扉構造の技術分野に属し、地震、水害その他の災害のとき又はこの災害が予想されるときに扉を少し開けて緊急避難路を確保し、又は身障者、高齢者など（以下、身障者等という）が不安なく容易に出入りできるようにした扉開放装置に関する。
【背景技術】
【０００２】
特許文献１は、スイングドア用自閉装置において、任意の開き角度で自閉装置の作動を遮断してドアの開閉動作を停止させるフリーストップ手段を設けたスイングドア用自閉装置を開示している。
【０００３】
特許文献２は、柱枠に対して蝶番を介して回動可能に取り付けられた扉であって、この扉を閉鎖した姿勢において扉のヒンジ側の端面とこの端面に隣接する柱枠の端面の何れか一方に、扉を常時開放方向に弾力的に付勢する弾性部材が設けられており、扉の遊端側の端面とこの端面に隣接する柱枠の端面の何れかに扉の閉鎖姿勢を保持するラッチが設けられ、上記ラッチを解錠位置まで後退させる押しボタンが上記柱枠の前面並びに後面に設けられている回動扉の開放機構を開示している。
【０００４】
特許文献３は、震度が所定値以上になると自動的に開く自動扉を開示している。また、特許文献４は地震発生時扉開放装置を開示しており、この装置では感震センサが地震の初期微動を検知すると、制御装置は電気錠のラッチボルトおよびデッドボルトを電気錠ケース内に収納し、プランジャをシリンダから突出させて扉を開放するので、地震発生により建物が歪んでしまっても避難経路を確保することができる。
【特許文献１】特開２０００−２７５３０号公報
【特許文献２】特開２００１−２０７６９８号公報
【特許文献３】実開平４−１０７３９０号公報
【特許文献４】特開１０−８８９３３号公報
【発明の開示】
【発明が解決しようとする課題】
【０００５】
本発明者は、地震その他、扉構造に外力が作用する災害のとき又はこの災害が予想されるときに、開信号を受けて扉を自動的に開け、これによって扉が扉枠に嵌ったまま開かなくなる扉枠の開口の閉塞を回避し、扉枠の開口部としての機能を維持して緊急避難路が無くなるという問題を解決することを考えた。しかし、そうした場合、外力が強いときは、むしろ扉を開けることが扉枠及びその周辺の構造の強度を低下させることにつながり、扉構造周辺の構造物が崩壊して被害が甚大となる。
【０００６】
また、本発明者は、例えば地下室のように容易に水が流入し得るような場所に扉があり、水害等で扉の外側の水位が上がってくると、扉の外側と内側の水圧差で扉が開かなくなり、室外への脱出が困難になる。そのため、こういった事態が予想されるか、あるいは水位が上がり始めた初期の段階で開信号を受けて扉を自動的に開け、これによっていよいよ水位が上がり、パワーアシストを得るにしても抵抗の増大により扉が開かなくなることを回避し、室内に水を導入して扉の外側と内側の水位差をほぼ無くしておき、脱出時に扉を人力で開くことができるようにすることを考えた。しかし、そうした場合、急激に水位が上がってくるなかで水の静圧、動圧を受けつつこれに抗して扉を開けるときに扉を開けるための機構が大きな負荷を受けて損傷を受け、扉が閉まるという事態が予想され、これでは所期の目的を達成できない。また、扉を開けてから水が流入してきたときでも、水流によって開いた扉が大きな力を受け、扉を開けるための機構が大きな負荷を受けて損傷を受け、扉が閉まるという事態も予想される。
【０００７】
また、扉のノブ、ハンドル等の操作が困難である身障者等が容易に扉を開け閉めできるようにするために特許文献２のような装置を設けた場合、扉が弾性部材で開放方向に弾力的に付勢されているので、開いた扉が、敏捷な動作によって咄嗟に避けることが困難な身障者等に衝突することがあり、これでは安心して装置を使用することができない。このような問題は、扉が引いて開かれる引き扉構造であっても扉が押して開かれる押し扉構造であっても、扉の開く側に身障者等が居るときには起こりうる。その場合、扉から一定範囲に人が居ることをセンサー等で検出し、そのときは扉が開かないように制御することが考えられる。しかし、引き扉構造でそうしたときは、操作者が扉から充分に離れて押しボタンを操作しなければならない煩わしさがあるし、押し扉構造でそうしたときは、扉の向こうの様子が分からない操作者が扉が開かない理由を理解できず、不安になる。
【０００８】
本発明は、このような点に着目してなされたもので、その目的とするところは、扉を開けるときは、扉の回動側端部と扉枠との間に隙間があく程度まで開けるに留め、これによって次のことを実現することにある。第１に、例えば地震のような災害のとき又はこの災害が予想されるときに開信号を受けて扉を自動的に開ける用途においては、隙間に指、手又はバールその他のこじ開け用工具を入れて扉をこじ開けることを可能にし、扉枠の開口の閉塞を回避して緊急避難路を確保できるようにしながら、扉によって扉枠及びその周辺の構造の強度を支えて扉構造周辺の構造物の崩壊を防止する。第２に、例えば水害のような災害のとき又はこの災害が予想されるときに開信号を受けて水が流入するような場所の扉を自動的に開ける用途においては、水の静圧、動圧を受けつつ確実に扉を開けて室内に水を導入して扉の外側と内側の水位差をほぼ無くし、脱出時に扉を人力で開くことができるようにする。第３に、身障者等の操作で扉を開ける用途においては身障者等への扉の不用意な衝突を回避し、安心して扉を開けることができ、また扉に近づいて押しボタン等により扉を開ける操作ができ、隙間から扉の向こうの様子を確認して扉を全開することの可否を判断でき、隙間等を手がかりに扉を全開することができるようにする。
【０００９】
さらに、上記従来の装置では、バネの復原力を利用して扉を開くようにしているが、災害時又は災害予想時から平常時に戻ったときに開いた扉を押して閉めることを可能とするために、バネの復原力は人力で押し返せる程度のものに設定せざるを得ない。そのため、地震等の災害時には開いた扉に、扉の開いた側から扉に何かが倒れかかってきて開いた扉を閉める外力が作用した場合、バネの復原力が外力に負けて扉が閉まり、そのために扉を押し開けて室外に脱出することができなくなるという問題が起こる。また、水害等の災害時には水圧により、開いた扉を閉める外力が作用した場合、同様にバネの復原力が外力に負けて扉が閉まり、そのために扉を押し開けて室外に脱出することができなくなるという問題が起こる。
【００１０】
そこで、本発明では、開いた扉が外力を受けても閉まらないようにして、災害時に脱出不能になることを防ぐことも目的としている。
【課題を解決するための手段】
【００１１】
上記目的を達成する解決手段としての本発明の扉構造の扉開放装置は、扉枠と、この扉枠を開け閉めし、閉じたときに扉枠に嵌るようにほぼ上下に延びる軸のまわりに回動可能に設けられた扉と、扉を閉じ状態に保持する保持装置とを備えた扉構造に設けられる扉開放装置である。そして、この扉開放装置は、扉の閉じ状態への保持を解除する解除装置と、扉を、開方向への拘束なく開く開装置と、地震その他、扉構造に外力が作用する災害のとき又はこの災害が予想されるときに別に設けた開信号出力装置から出力される開信号を受けると、扉の閉じ状態への保持を解除して扉を開くように解除装置及び開装置を制御する災害用開制御装置とを備え、扉の開き角度が、扉の回動側端部と扉枠との間に指、手又はバールその他のこじ開け用工具が差し込まれる隙間ができる程度の開き角度となるように構成している。
【００１２】
この扉構造の扉開放装置においては、地震その他、扉構造に外力が作用する災害のとき又はこの災害が予想されるときに別に設けた開信号出力装置から開信号が出力されると、災害用開制御装置が開信号を受け、解除装置及び開装置が制御され、扉の閉じ状態への保持を解除し、扉が扉の回動側端部と扉枠との間に隙間があく程度まで開く。そのため、隙間に指、手又はバールその他のこじ開け用工具を差し込めば扉をこじ開けることが可能になり、扉枠の開口の閉塞を回避して緊急避難路を確保でき、しかも扉における扉枠に嵌る部分を或る程度残すことで扉によって扉枠及びその周辺の構造の強度が支えられて扉構造周辺の構造物の崩壊が防止される。
【００１３】
本発明の別の扉構造の扉開放装置は、扉枠と、この扉枠を開け閉めし、閉じたときに扉枠に嵌るようにほぼ上下に延びる軸のまわりに回動可能に設けられた扉と、扉を閉じ状態に保持する保持装置とを備えた扉構造に設けられる扉開放装置である。そして、この扉開放装置は、扉の閉じ状態への保持を解除する解除装置と、扉を、開方向への拘束なく開く開装置と、水害その他、扉枠の外に水が流入する災害のとき又はこの災害が予想されるときに別に設けた開信号出力装置から出力される開信号を受けると、扉の閉じ状態への保持を解除して扉を開くように解除装置及び開装置を制御する災害用開制御装置とを備え、扉の開き角度が、扉の回動側端部と扉枠との間に、扉の内側へ水を導入できる隙間ができる程度の開き角度となるように構成している。
【００１４】
この扉構造の扉開放装置においては、水害その他、扉枠の外に水が流入する災害のとき又はこの災害が予想されるときに別に設けた開信号出力装置から開信号が出力されると、災害用開制御装置が開信号を受け、解除装置及び開装置が制御され、扉の閉じ状態への保持を解除し、扉が扉の回動側端部と扉枠との間に隙間があく程度まで開く。そのため、隙間から扉の内側へ水が導入され、扉の外側と内側の水位差がほぼ無くなり、脱出時に扉を人力で開くことができるようになる。また、隙間が最小限に抑えられるため、急激に水位が上がってくるなかで水の静圧、動圧を受けつつこれに抗して扉を開けるときでも、扉を開けるための開装置が大きな負荷を受けることが防止され、損傷を受けたり、それによって不意に扉が閉まるという事態が回避される。しかも、隙間が最小限に抑えられることで、扉を開けてから水が流入してきたときでも、水流によって開いた扉が大きな力を受けにくく、扉を開けるための開装置が大きな負荷を受けることが防止され、損傷を受けたり、それによって不意に扉が閉まるという事態が回避される。
【００１５】
本発明の扉構造の扉開放装置は、開いた扉が閉じる方向へ外力を受けても扉が閉じないように構成してもよい。
【００１６】
このようにすれば、地震その他、扉構造に外力が作用する災害のとき又はこの災害が予想されるときに、開いた扉に、扉の開いた側から扉に何かが倒れかかってきて開いた扉を閉める外力が作用しても、このような力によって扉が閉じることがないので、本装置本来の脱出手段確保の機能が維持される。また、水害その他、扉枠の外に水が流入する災害のとき又はこの災害が予想されるときに、開いた扉に、扉の開いた側から水圧がかかってきて開いた扉を閉める外力が作用しても、このような力によって扉が閉じることがないので、本装置本来の水導入の機能が維持される。
【００１７】
本発明の扉構造の扉開放装置は、開装置が、扉枠その他、扉の周辺に設けられた本体と、この本体に、基端がほぼ上下に延びる回動軸のまわりに回動可能に設けられ、先端で扉を押し又は引くアームと、本体に設けられ、アームを回動させる駆動装置とを備えており、この駆動装置が、アームの上記回動軸に設けられたギヤ又はアームの上記回動軸に連動するギヤと、このギヤの中心軸と交差し且つ上記ギヤと噛み合うウォームが設けられた出力軸を有してこれを回転駆動する回転駆動装置とを備えるようにしてもよい。
【００１８】
このようにすれば、回転駆動装置が出力軸を回転駆動すると、回転力がウォームからギヤに伝わり、さらに回動軸に伝わってアームを回動させ、アームの先端が扉を押し又は引いてこれを開く。その場合、アームの先端と扉とは何ら連結関係を持たないことから、開装置は扉に対して開方向への拘束を行わず、扉がアームから離れてそれ以上開くことが可能である。そして、開いた扉が閉じる方向へ外力を受けても、ギヤの回転力はギヤの回動軸と交差する回動軸を持つウォームによって受け止められるので、アームは回動せず、扉は閉じない。
【００１９】
本発明の別の扉構造の扉開放装置は、扉枠と、この扉枠を開け閉めし、閉じたときに扉枠に嵌るようにほぼ上下に延びる軸のまわりに回動可能に設けられた扉と、扉を閉じ状態に保持する保持装置とを備えた扉構造に設けられる扉開放装置であって、扉の閉じ状態への保持を解除する解除装置と、扉を、開方向への拘束なく開く開装置と、操作を受けると、扉の閉じ状態への保持を解除して扉を開くように解除装置及び開装置を制御する操作時開制御装置とを備え、扉の開き角度が、扉の回動側端部と扉枠との間に隙間ができる程度の開き角度となるように構成している。
【００２０】
この扉構造の扉開放装置においては、身障者等が操作時開制御装置を操作すると、解除装置及び開装置が制御され、扉の閉じ状態への保持を解除し、扉が扉の回動側端部と扉枠との間に隙間があく程度まで開く。そのため、身障者等への扉の不用意な衝突が回避され、扉に近づいて押しボタン等の操作装置により扉を開ける操作ができ、隙間から扉の向こうの様子を確認でき、隙間に手その他の身体部位又は杖その他の器具を差し込んで引き、扉の回動側端部付近を手がかりに手、肩、脚その他の身体部位又は杖その他の器具を当てるなどして引き、又は扉を押すことで扉を全開にすることができる。
【００２１】
本発明の扉構造の扉開放装置は、さらに、扉を閉じる方向へ付勢する閉装置が設けられており、開装置は閉装置の閉じ力に抗して扉を開けるように構成されていてもよい。
【００２２】
このようにすれば、災害用開制御装置又は操作時開制御装置による上記制御が解除されたときに、閉装置によって扉が閉じられる。
【発明の効果】
【００２３】
本発明の扉構造の扉開放装置は、地震その他、扉構造に外力が作用する災害のとき又はこの災害が予想されるときに扉が、扉の回動側端部と扉枠との間に隙間があく程度まで開くので、隙間に指、手又はバールその他のこじ開け用工具を差し込んで扉をこじ開けることを可能にし、扉枠の開口の閉塞を回避して緊急避難路を確保できるようにしながら、扉における扉枠に嵌る部分を或る程度残すことで扉によって扉枠及びその周辺の構造の強度を支えて扉構造周辺の構造物の崩壊を防止することができる。
【００２４】
本発明の別の扉構造の扉開放装置は、水害その他、扉枠の外に水が流入する災害のとき又はこの災害が予想されるときに扉が、扉の回動側端部と扉枠との間に隙間があく程度まで開くので、隙間から扉の内側へ水が導入され、扉の外側と内側の水位差がほぼ無くなり、脱出時に扉を人力で開くことができるようになる。また、隙間が最小限に抑えられるため、扉を開けるための開装置が大きな負荷を受けることが防止され、損傷を受けたり、それによって不意に扉が閉まるという事態が回避される。
【００２５】
また、開いた扉が閉じる方向へ外力を受けても扉が閉じないように構成したときには、地震その他、扉構造に外力が作用する災害のとき又はこの災害が予想されるときに本装置本来の脱出手段確保の機能が維持され、また、水害その他、扉枠の外に水が流入する災害のとき又はこの災害が予想されるときに本装置本来の水導入の機能が維持される。
【００２６】
さらに、開装置をギヤ及びこれに噛み合うウォームを用いて構成したときは、簡単な構造でもって開いた扉が閉じる方向へ外力を受けても扉が閉じないという機能を実現することができる。
【００２７】
本発明の別の扉構造の扉開放装置は、身障者等の操作により扉が、扉の回動側端部と扉枠との間に隙間があく程度まで開くので、身障者等への扉の不用意な衝突を回避し、安心して扉を開けることができ、また扉に近づいて押しボタン等の操作装置により扉を開ける操作ができ、隙間から扉の向こうの様子を確認して扉を全開することの可否を判断でき、隙間や扉の回動側端部付近を手がかりに扉を引き、又は扉を押すことで扉を全開にすることができる。
【００２８】
さらに、扉を閉じる方向へ付勢する閉装置が設け、開装置が閉装置の閉じ力に抗して扉を開けるように構成すれば、災害用開制御装置又は操作時開制御装置による上記制御が解除されたときに、閉装置によって扉を閉じることができ、無意味に扉が開き続けることが防止される。
【発明を実施するための最良の形態】
【００２９】
以下、本発明の扉構造の扉開放装置の実施の形態を説明する。図１ないし図３は、第１実施形態の扉構造の扉開放装置を示す。この扉構造は、扉枠１０と、この扉枠１０を開け閉めする扉２０と、扉２０を閉じ状態に保持する保持装置３０とを備えている。
【００３０】
扉枠１０は、壁その他の構造物を貫通するように設けられた枠体であって、この扉枠１０の内側の空間により開口部が形成される。図では扉枠１０をほぼ矩形状に形成しているが、これに限定されるものではない。扉２０は、ほぼ上下に延びる軸２１のまわりに回動可能に設けられている。
【００３１】
扉２０は、この扉枠１０を開け閉めし、閉じたときに扉枠１０に嵌るように設けられている。この実施形態の場合、軸２１は蝶番の軸であるが、構造によっては仮想の軸を意味することがある。図では扉枠１０の幅方向の一端に軸２１が設けられているが、扉枠１０における軸の幅方向の位置がこれによって限定されるものではない。扉２０は扉枠１０が設けられた壁その他の構造物を境にして一方側に開くが、この扉２０が開いていく側を扉開き側といい、逆側を扉閉じ側という。
【００３２】
保持装置３０は、扉２０が閉じ状態にあるときに扉枠１０及び扉２０に設けられ、一方を他方に係止する装置である。この実施形態の場合、保持装置３０は、例えば図３に示すような扉２０に設けられたラッチ３１と、図４に示すような扉枠１０に設けられた凹部３５とを備えている。ラッチ３１は扉２０の幅方向の両端面のうち回動側の端面からバネ力に付勢されて突出し又は押されると扉２０のなかへ引っ込み且つ扉２０のノブ３２を回動することでバネ力に抗して引っ込むように構成された突起状の部材である。凹部３５は扉が閉じたときに扉２０の上記端面が対向する扉枠１０を凹ませて設けられている。扉２０が閉じるときはラッチ３１が扉枠１０における凹部３５の周囲の部位に押されてバネ力に抗して引っ込んでから元の位置に復原することで凹部３５に嵌り、一方扉２０が閉じたときにノブ３２を回動するとラッチ３１が引っ込んで扉２０の閉じ状態への保持を解除でき、扉２０を開けることが可能となるように構成されている。
【００３３】
扉構造の扉開放装置は、扉２０の閉じ状態への保持を解除する解除装置１１０と、扉２０を、開方向への拘束なく開く開装置１２０と、解除装置１１０及び開装置１２０を制御する災害用開制御装置１３０とを備えている。
【００３４】
解除装置１１０は、保持装置３０が作動しているにもかかわらず、その機能を制限し、扉２０の閉じ状態への保持を解除するものである。この実施形態の場合、保持装置３０の凹部３５を構成する部材に解除装置１１０を設けている。図５に示すように、解除装置１１０は、扉枠１０の内部に、ほぼ上下に延びる軸１１２のまわりに回動可能に設けられた係止部材１１１と、この係止部材１１１を回動させる駆動装置（図示省略）とを備えており、図５に示すように通常は係止部材１１１が凹部３５の扉開き側の壁を構成する状態にあるが、図６に示すように災害用開制御装置１３０又は後述する操作時開制御装置１４０から信号を受けると駆動装置により係止部材１１１が回動して扉枠１０の内方へ逃げることで凹部３５の扉開き側の壁がなくなり、ラッチ３１が扉開き側に開放されて扉開き側へ移動可能になるように構成している。駆動装置に代えて係止部材１１１を拘束するピン等のストッパを設け、通常は係止部材１１１を凹部３５の扉開き側の壁を構成する位置に位置づけておき、ストッパを外すことで係止部材１１１がバネ等の付勢力を受けて扉枠１０の内方へ逃げるようにしてもよい。解除装置は保持装置３０のラッチ３１に関連づけて設けてもよく、例えば災害用開制御装置１３０又は操作時開制御装置１４０から信号を受けるとラッチ３１が扉２０のなかへ引っ込むように構成すればよい。
【００３５】
開装置１２０は、扉２０を押し又は引いて開くように構成している。また、開装置１２０は、扉２０を開方向への拘束なく開くように構成している。すなわち、扉２０を開いたときに、扉２０が開装置１２０から離れてそれ以上開くことを可能となるように構成している。この実施形態の場合、図１、図２、図７及び図８に示すように、開装置１２０は、扉閉じ側において扉枠１０その他、扉２０の周辺に設けられた本体１２１と、この本体１２１に、基端がほぼ上下に延びる回動軸１２２ａのまわりに回動可能に設けられ、先端で扉を押すアーム１２２と、本体１２１に設けられ、アーム１２２を回動させる駆動装置１２３とを備えており、アーム１２２が回動するとアーム１２２の先端が扉２０を押してこれを開き、その場合にアーム１２２の先端と扉２０とが何ら連結関係を持たないことから扉２０が開装置１２０のアーム１２２から離れてそれ以上開くことを可能となるようにしている。開装置の変形例としては扉開き側において扉枠その他、扉の周辺に設けられ、アームの先端を扉に引っ掛けて扉を引いて開けるようにしたものがある。他にも開装置としては、伸縮して伸長時に扉を押すプッシュロッドを備えたものや、先端を扉を引っ掛け、収縮時に扉を引く伸縮ロッドを備えたものなどが含まれる。
【００３６】
災害用開制御装置１３０は、電源、電気回路等を備え、解除装置１１０及び開装置１２０に接続され、これらを制御する。この実施形態の場合、災害用開制御装置１３０は開装置１２０の本体１２１に内蔵され、電線等を介して解除装置１１０及び開装置１２０に電気的に接続されている。その接続形態としては電気的な接続、電波通信による接続、光通信による接続その他の形態がある。災害用開制御装置１３０は、地震その他、扉構造に外力が作用する災害のとき又はこの災害が予想されるときに別に設けた開信号出力装置から出力される開信号を受けると、扉２０の閉じ状態への保持を解除して扉２０を開くように解除装置１１０及び開装置１２０を制御するように構成されている。この実施形態の場合、開信号出力装置からの開信号の発信形態は、電波による信号の発信である。従って、災害用開制御装置１３０は、開信号を受信する受信回路を含んでいる。それ以外の開信号の発信形態として、例えば電話線、光ファイバー、専用線等を通じた信号の伝送、インターネットを通じた信号の伝送が例示される。開信号出力装置は扉構造の扉開放装置を設けた家屋等から離れた場所に設けてもよいし、同じ家屋等に設けてもよい。地震その他、扉構造に外力が作用する災害のときとは、地震の場合を例にとると、実際に地震で揺れだした初期の段階を意味しており、これは例えば振動を検出する感振センサの出力信号により検出することができる。地震その他、扉構造に外力が作用する災害が予想されるときとは、なんらかの根拠でこのような災害が予想されるときであり、これには例えば一連の地震における初期微動を受けて本震を予想すること、伝播速度の速いＰ波を検知したときに通常それよりも遅れて届くＳ波の伝播到来を予想すること、動物の異常な反応を受けて地震の発生を予想することなどが含まれる。振動の検出には例えば感振センサが用いられる。
【００３７】
この扉構造の扉開放装置は、扉２０の開き角度が、扉２０の回動側端部２２と扉枠１０との間に指、手又はバールその他のこじ開け用工具が差し込まれる隙間Ｃができる程度の開き角度となるように構成している。この実施形態の場合、開装置１２０がリミットスイッチを備えており、アーム１２２が上記開き角度になると、このリミットスイッチの作動を受けて駆動装置１２３を停止し、アーム１２２の回動が停止するようにしている。こうせずに災害用開制御装置１３０により駆動装置１２３の作動を制御してアーム１２２が上記開き角度になるように駆動装置１２３を制御するようにしてもよい。
【００３８】
この扉構造の扉開放装置は、開いた扉が閉じる方向へ外力を受けても扉が閉じないように構成している。この実施形態の場合、図８に示すように、上記開装置１２０は、先に説明したように、本体１２１と、アーム１２２と、駆動装置１２３とを備えている。そして、この駆動装置１２３は、アーム１２２の上記回動軸１２２ａに連動するギヤ１２３ａと、このギヤ１２３ａの中心軸と交差し且つ上記ギヤ１２３ａと噛み合うウォーム１２３ｂが設けられた出力軸１２３ｃを有してこれを回転駆動する電動機、油圧モータその他の回転駆動装置１２３ｄとを備えており、この構成により、開いた扉２０が閉じる方向へ外力を受けても扉２０が閉じないように構成している。この実施形態では、ギヤ１２３ａの中心軸と出力軸１２３ｃは交差するだけではなく、この中心軸又は出力軸の方向にみて直交している。ウォーム１２３ｂと噛み合うギヤ１２３ａはウォームギヤ又はウォームホイールなどと呼ばれる。また、アーム１２２の上記回動軸１２２ａに最終ギヤ１２２ｂを設けている。そして、上述した回動軸１２２ａに連動するギヤ１２３ａは、アーム１２２の上記回動軸１２２ａと平行に設けられた中心軸にその軸方向にずらして設けられ且つ相対的に動かない二枚のギヤよりなる二重ギヤのうちの一方であり、二重ギヤの他方のギヤ１２３ａを上記最終ギヤ１２２ｂに噛み合わせ、一方のギヤ１２３ａを上記回転駆動装置１２３ｄの出力軸１２３ｃのウォーム１２３ｂに噛み合せている。これによって回転駆動装置１２３ｄの回転はウォーム１２３ｂにより二重ギヤの一方のギヤ１２３ａに伝動され、他方のギヤ１２３ａから最終ギヤ１２２ｂに伝動され、アーム１２２を回動させる。二重ギヤの他方のギヤ１２３ａと、これに噛み合う最終ギヤ１２２ｂはギヤ形式を問わない。この場合、アーム１２２の上記回動軸１２２ａに連動するギヤ１２３ａを設けずに、アーム１２２の上記回動軸１２２ａに設けられた最終ギヤ１２２ｂを直接に回転駆動装置１２３ｄの出力軸１２３ｃのウォーム１２３ｂに噛み合せるようにしてもよい。そのときは最終ギヤ１２２ｂはウォームギヤ又はウォームホイールとすることになる。以上の構成により、アーム１２２の上記回動軸１２２ａに連動するギヤ１２３ａの回転力はウォーム１２３ｂによって受け止められ、このウォーム１２３ｂはギヤ１２３ａの中心軸と交差する回動軸を持つので、アーム１２２は回動せず、扉２０は閉じない。アーム１２２の上記回動軸１２２ａに設けられた最終ギヤ１２２ｂを直接に回転駆動装置１２３ｄの出力軸１２３ｃのウォーム１２３ｂに噛み合せるようにしたときには、アーム１２２の上記回動軸１２２ａに設けられた最終ギヤ１２２ｂの回転力はウォーム１２３ｂによって受け止められ、このウォーム１２３ｂは最終ギヤ１２２ｂが設けられた回動軸１２２ａと交差する回動軸を持つので、アーム１２２は回動せず、扉２０は閉じない。なお、アーム１２２の回動軸１２２ａと、二重ギヤの間にさらにギヤを介在させて多段のギヤ装置を構成してもよい。
【００３９】
この扉構造の扉開放装置には、さらに、扉２０を閉じる方向へ付勢する閉装置１５０が設けられており、開装置１２０は閉装置１５０の閉じ力に抗して扉２０を開けるように構成されている。閉装置１５０は開いた扉２０を自動的に閉じる機能を発揮し、バネ力等により扉２０を閉じる方向へ付勢する。付勢力は保持装置３０のラッチ３１を凹部３５に入れる程度に設定されることが好ましい。
【００４０】
従って、この第１実施形態に係る扉構造の扉開放装置においては、地震その他、扉構造に外力が作用する災害のとき又はこの災害が予想されるときに別に設けた開信号出力装置から開信号が出力されると、災害用開制御装置１３０が開信号を受け、解除装置１１０及び開装置１２０が制御され、扉２０の閉じ状態への保持を解除し、扉２０が扉２０の回動側端部２２と扉枠１０との間に隙間Ｃがあく程度まで開く。そのため、隙間に指、手又はバールその他のこじ開け用工具を差し込めば扉２０をこじ開けることが可能になり、扉枠１０の開口の閉塞を回避して緊急避難路を確保できる。その場合、開装置１２０は、扉２０の開方向への動きを拘束しないので、扉２０をこじ開けることが可能である。しかも、扉２０における扉枠１０に嵌る部分を或る程度残るので、扉２０によって扉枠１０及びその周辺の構造の強度が支えられて扉構造周辺の構造物の崩壊が防止される。図７では扉２０に交差斜線で示した領域Ｗにおいて扉２０が扉枠１０に嵌っている。
【００４１】
本発明は開装置の構造を限定するものではなく、開装置は、扉を開方向への拘束なく開く機能を発揮する装置であればよい。しかし、上記実施形態の場合、扉構造の扉開放装置は、開いた扉２０が閉じる方向へ外力を受けても扉が閉じないように構成している。このようにすれば、地震その他、扉構造に外力が作用する災害のとき又はこの災害が予想されるときに、開いた扉２０に、扉２０の開いた側から扉２０に何かが倒れかかってきて開いた扉２０を閉める外力が作用しても、このような力によって扉２０が閉じることがないので、本装置本来の脱出手段確保の機能が維持される。
【００４２】
本発明は、開いた扉が閉じる方向へ外力を受けても扉が閉じないようにする機能を発揮させるために開装置が具備する構造を限定するものではない。一例を挙げれば、シリンダとこのシリンダにスライドできるように嵌挿されたピストンとを備え、このシリンダ及びピストンのうち一方を開装置の本体に連結し他方を扉に連結し、シリンダとピストンとにより形成された空間に油圧又は空圧等を供給したりこれを空間に連通するリリーフ弁からリリーフすることで扉の開け閉めを行い、リリーフ弁を閉めることで開いた扉が閉じる方向へ外力を受けても扉が閉じないようにすることができる。これに対し、第１実施形態の扉構造の扉開放装置は、開装置１２０が、扉閉じ側において扉枠１０その他、扉２０の周辺に設けられた本体１２１と、この本体１２１に、基端がほぼ上下に延びる回動軸１２２ａのまわりに回動可能に設けられ、先端で扉２０を押すアーム１２２と、本体１２１に設けられ、アーム１２２を回動させる駆動装置１２３とを備えており、この駆動装置１２３が、アーム１２２の上記回動軸１２２ａに連動するギヤ１２３ａと、この回動軸１２２ａと交差し且つ上記ギヤ１２３ａと噛み合うウォーム１２３ｂが設けられた出力軸１２３ｃを有してこれを回転駆動する回転駆動装置１２３ｄとを備えている。このようにすれば、回転駆動装置１２３ｄが出力軸１２３ｃを回転駆動すると、回転力がウォーム１２３ｂからギヤ１２３ａに伝わり、さらに回動軸１２２ａに伝わってアーム１２２を回動させ、アーム１２２の先端が扉２０を押してこれを開く。その場合、アーム１２２の先端と扉２０とは何ら連結関係を持たないことから、開装置１２０は扉２０に対して開方向への拘束を行わず、扉２０がアーム１２２から離れてそれ以上開くことが可能である。そして、開いた扉２０が閉じる方向へ外力を受けても、アーム１２２は回動せず、扉２０は閉じない。このような機能を比較的簡単な構造によって発揮させることができる。
【００４３】
本発明は閉装置を設けない実施形態を含む。しかし、上記実施形態の場合、さらに、扉２０を閉じる方向へ付勢する閉装置１５０が設けられており、開装置１２０は閉装置１５０の閉じ力に抗して扉２０を開けるように構成されている。このようにすれば、災害用開制御装置１３０による上記制御が解除されたときに、閉装置１５０によって扉２０が閉じることができ、無意味に扉２０が開き続けることが防止される。その場合、災害用開制御装置１３０による上記制御が解除されたときに開装置１２０の駆動装置１２３の回転駆動装置１２３ｄを逆回転させてアーム１２２を扉２０が閉じたときの位置に復帰させることが必要となる。
【００４４】
次に、第２の実施形態に係る扉構造の扉開放装置を説明する。この扉構造の扉開放装置は、扉枠１０と、この扉枠１０を開け閉めし、閉じたときに扉枠１０に嵌るようにほぼ上下に延びる軸２１のまわりに回動可能に設けられた扉２０と、扉２０を閉じ状態に保持する保持装置３０とを備えた扉構造に設けられる扉開放装置であって、これらの前提は第１実施形態の前提と同様であるから、これらの部材には第１実施形態の場合と同一の符号を付し、第１実施形態の説明をそのまま引用する。また、第２実施形態に係る扉構造の扉開放装置は、扉２０の閉じ状態への保持を解除する解除装置１１０と、扉２０を、開方向への拘束なく開く開装置１２０とを備えており、さらに、開いた扉が閉じる方向へ外力を受けても扉が閉じないように構成していることも第１の実施形態と同様であるから、これらの部材にも第１実施形態の場合と同一の符号を付し、第１実施形態の説明をそのまま引用する。また、開装置が、扉閉じ側において扉枠その他、扉の周辺に設けられた本体と、この本体に、基端がほぼ上下に延びる回動軸のまわりに回動可能に設けられ、先端で扉を押し又は引くアームと、本体に設けられ、アームを回動させる駆動装置とを備えており、この駆動装置が、アームの上記回動軸に設けられたギヤ又はアームの上記回動軸に連動するギヤと、この回動軸と交差し且つ上記ギヤと噛み合うウォームが設けられた出力軸を有してこれを回転駆動する回転駆動装置とを備えていることも第１の実施形態と同様であるから、これらの部材にも第１実施形態の場合と同一の符号を付し、第１実施形態の説明をそのまま引用する。さらに、扉２０を閉じる方向へ付勢する閉装置１５０が設けられており、開装置１２０は閉装置１５０の閉じ力に抗して扉２０を開けるように構成されている。これらの構成も第１の実施形態と同様であるから、これらの部材にも第１実施形態の場合と同一の符号を付し、第１実施形態の説明をそのまま引用する。
【００４５】
そして、第２実施形態に係る扉構造の扉開放装置の場合、第１実施形態における災害用開制御装置に代えて、第２実施形態のための災害用開制御装置１３０を備えている。この災害用開制御装置１３０は、電源、電気回路等を備え、解除装置１１０及び開装置１２０に接続され、これらを制御する。この実施形態の場合、災害用開制御装置１３０は開装置１２０の本体１２１に内蔵され、電線等を介して解除装置１１０及び開装置１２０に電気的に接続されている。その接続形態としては電気的な接続、電波通信による接続、光通信による接続その他の形態がある。災害用開制御装置１３０は、水害その他、扉枠の外に水が流入する災害のとき又はこの災害が予想されるときに別に設けた開信号出力装置から出力される開信号を受けると、扉２０の閉じ状態への保持を解除して扉２０を開くように解除装置１１０及び開装置１２０を制御するように構成されている。この実施形態の場合、開信号出力装置からの開信号の発信形態は、電波による信号の発信である。従って、災害用開制御装置１３０は、開信号を受信する受信回路を含んでいる。それ以外の開信号の発信形態として、例えば電話線、光ファイバー、専用線等を通じた信号の伝送、インターネットを通じた信号の伝送が例示される。開信号出力装置は扉構造の扉開放装置を設けた家屋等から離れた場所に設けてもよいし、同じ家屋等に設けてもよい。水害その他、扉枠の外に水が流入する災害のときとは、水害の場合を例にとると、実際に扉枠の外に水が流入し始めた初期の段階を意味しており、これは例えば水位などを検出する水位センサの出力信号により検出することができる。水害その他、扉枠の外に水が流入する災害が予想されるときとは、なんらかの根拠でこのような災害が予想されるときであり、これには例えば天気予報の大雨注意報等を受けて水害を予想すること、地震を検知したときにそれよりも遅れて届く津波の到来を予想することなどが含まれる。振動の検出には例えば感振センサが用いられる。
【００４６】
この扉構造の扉開放装置は、扉２０の開き角度が、扉２０の回動側端部２２と扉枠１０との間に、扉２０の内側へ水を導入できる隙間Ｃができる程度の開き角度となるように構成している。この実施形態の場合、開装置１２０がリミットスイッチを備えており、アーム１２２が上記開き角度になると、このリミットスイッチの作動を受けて駆動装置１２３を停止し、アーム１２２の回動が停止するようにしている。こうせずに災害用開制御装置１３０により駆動装置１２３の作動を制御してアーム１２２が上記開き角度になるように駆動装置１２３を制御するようにしてもよい。
【００４７】
従って、この第２実施形態に係る扉構造の扉開放装置においては、水害その他、扉枠の外に水が流入する災害のとき又はこの災害が予想されるときに別に設けた開信号出力装置から開信号が出力されると、災害用開制御装置１３０が開信号を受け、解除装置１１０及び開装置１２０が制御され、扉２０の閉じ状態への保持を解除し、扉２０が扉２０の回動側端部２２と扉枠１０との間に隙間Ｃがあく程度まで開く。そのため、隙間Ｃから扉２０の内側へ水が導入され、扉２０の外側と内側の水位差がほぼ無くなり、脱出時に扉２０を人力で開くことができるようになる。その場合、開装置１２０は、扉２０の開方向への動きを拘束しないので、扉２０を開けることが可能である。また、隙間Ｃが最小限に抑えられるため、急激に水位が上がってくるなかで水の静圧、動圧を受けつつこれに抗して扉２０を開けるときでも、扉２０を開けるための開装置１２０が大きな負荷を受けることが防止され、損傷を受けたり、それによって不意に扉２０が閉まるという事態が回避される。しかも、隙間Ｃが最小限に抑えられることで、扉２０を開けてから水が流入してきたときでも、水流によって開いた扉２０が大きな力を受けにくく、扉２０を開けるための開装置１２０が大きな負荷を受けることが防止され、損傷を受けたり、それによって不意に扉２０が閉まるという事態が回避される。
【００４８】
本発明は開装置の構造を限定するものではなく、開装置は、扉を開方向への拘束なく開く機能を発揮する装置であればよい。しかし、上記実施形態の場合、扉構造の扉開放装置は、開いた扉２０が閉じる方向へ外力を受けても扉２０が閉じないように構成している。このようにすれば、水害その他、扉枠１０の外に水が流入する災害のとき又はこの災害が予想されるときに、開いた扉２０に、扉２０の開いた側から水圧がかかってきて開いた扉を閉める外力が作用しても、このような力によって扉２０が閉じることがないので、本装置本来の水導入の機能が維持される。その他、閉装置、開装置などの構成から導かれる作用及び効果については第１実施形態のときと同様である。
【００４９】
図９は第３の実施形態に係る扉構造の扉開放装置を示す。この扉構造の扉開放装置は、扉枠１０と、この扉枠１０を開け閉めし、閉じたときに扉枠１０に嵌るようにほぼ上下に延びる軸２１のまわりに回動可能に設けられた扉２０と、扉２０を閉じ状態に保持する保持装置３０とを備えた扉構造に設けられる扉開放装置であって、これらの前提は第１実施形態の前提と同様であるから、これらの部材には第１実施形態の場合と同一の符号を付し、第１実施形態の説明をそのまま引用する。また、第３実施形態に係る扉構造の扉開放装置は、扉２０の閉じ状態への保持を解除する解除装置１１０と、扉２０を、開方向への拘束なく開く開装置１２０とを備えており、さらに、扉２０を閉じる方向へ付勢する閉装置１５０が設けられており、開装置１２０は閉装置１５０の閉じ力に抗して扉２０を開けるように構成されている。これらの構成も第１の実施形態と同様であるから、これらの部材にも第１実施形態の場合と同一の符号を付し、第１実施形態の説明をそのまま引用する。
【００５０】
第１の実施形態に係る扉構造の扉開放装置は災害用開制御装置１３０を備え、扉２０の開き角度が、扉２０の回動側端部２２と扉枠１０との間に指、手又はバールその他のこじ開け用工具が差し込まれる隙間ができる程度の開き角度となるように構成した。これに対し、第３実施形態に係る扉構造の扉開放装置は、これに代えて、操作を受けると、扉２０の閉じ状態への保持を解除して扉２０を開くように解除装置１１０及び開装置１２０を制御する操作時開制御装置１４０を備え、扉２０の開き角度が、扉２０の回動側端部２２と扉枠１０との間に隙間Ｃができる程度の開き角度となるように構成している。操作時開制御装置１４０は押しボタン等の操作装置１４１を備えている。
【００５１】
従って、この第３実施形態に係る扉構造の扉開放装置においては、身障者等が操作装置１４１を押すなどして操作時開制御装置１４０を操作すると、解除装置１１０及び開装置１２０が制御され、扉２０の閉じ状態への保持を解除し、扉２０が扉２０の回動側端部２２と扉枠１０との間に隙間Ｃがあく程度まで開く。そのため、扉２０の開き角度が小さいことから身障者等への扉２０の不用意な衝突が回避され、扉２０に近づいて押しボタン等の操作装置１４１により扉２０を開ける操作ができ、隙間Ｃから扉２０の向こうの様子を確認でき、隙間Ｃに指、手その他の身体部位又は杖、義手その他の器具を差し込んで引き、扉２０の回動側端部２２の端面など回動側端部２２の付近を手がかりに指、手、肩、脚その他の身体部位又は杖、義手その他の器具を当てるなどして引き、又は扉２０を押すことで扉２０を全開にすることができる。
【００５２】
本発明は閉装置を設けない実施形態を含む。しかし、上記第３実施形態の場合、さらに、扉２０を閉じる方向へ付勢する閉装置１５０が設けられており、開装置１２０は閉装置１５０の閉じ力に抗して扉２０を開けるように構成されている。このようにすれば、操作時開制御装置１４０による上記制御が解除されたときに、閉装置１５０によって扉２０が閉じることができ、無意味に扉２０が開き続けることが防止される。
【００５３】
本発明は以上で説明した実施形態に限定されるものではなく、これらと同等である他の実施形態を含むものである。また、第１実施形態ないし第３実施形態を組み合わせた実施形態も本発明に含まれる。
【図面の簡単な説明】
【００５４】
【図１】第１実施形態に係る扉構造の扉開放装置を示し、図２のＩ−Ｉ線における断面図である。
【図２】第１実施形態に係る扉構造の扉開放装置を扉の上部を破断して示す正面図である。
【図３】第１実施形態に係る扉構造の扉開放装置における扉を示す斜視図である。
【図４】第１実施形態に係る扉構造の扉開放装置における扉枠の一部を示す斜視図である。
【図５】第１実施形態に係る扉構造の扉開放装置における保持装置及び解除装置を示す斜視図である。解除装置は作動していない。
【図６】第１実施形態に係る扉構造の扉開放装置における保持装置及び解除装置を示す斜視図である。解除装置は作動している。
【図７】第１実施形態に係る扉構造の扉開放装置を示し、図１と同様の図である。開装置が作動して扉が開いている。
【図８】第１実施形態に係る扉構造の扉開放装置で用いた開装置の要部を示す一部断面図である。
【図９】第３実施形態に係る扉構造の扉開放装置を示す図１相当図である。
【符号の説明】
【００５５】
１０  扉枠
２０  扉
２２  回動側端部
３０  保持装置
１１０  解除装置
１２０  開装置
１２１  本体
１２２  アーム
１２２ａ  回動軸
１２３  駆動装置
１２３ａ  ギヤ
１２３ｂ  ウォーム
１２３ｃ  出力軸
１２３ｄ  回転駆動装置
１３０  災害用開制御装置
１４０  操作時開制御装置
１５０  閉装置
Ｃ  隙間  
【図１】
2005299382.tif 000003
【図２】
2005299382.tif 000004
【図３】
2005299382.tif 000005
【図４】
2005299382.tif 000006
【図５】
2005299382.tif 000007
【図６】
2005299382.tif 000008
【図７】
2005299382.tif 000009
【図８】
2005299382.tif 000010
【図９】
2005299382.tif 000011